(57)【要約】【課題】  蓋付収納タイプの袋物においても、作業に手間取ることなく、収納部に容易に取り付けることができ、仕上げも綺麗にできる口金の提供。【解決手段】  両端において回転自在に軸着されて開閉可能に連結された一対のフレーム２、３から成り、該フレーム２、３のそれぞれに挿入用溝部６、７が凹設され、フレームが閉じられた状態において、それぞれの挿入用溝部６、７の挿入方向は互いに直交し、一方のフレームに凹設された挿入用溝部６はフレーム内側に向けて開口し、他方のフレームに凹設された挿入用溝部７はフレームが開かれる方向に向けて開口している袋物用口金１。【選択図】図１
0003218819.tif 000002
【実用新案登録請求の範囲】
【請求項１】
両端において回転自在に軸着されて開閉可能に連結された一対のフレームから成り、該フレームのそれぞれに挿入用溝部が凹設され、フレームが閉じられた状態において、それぞれの挿入用溝部の挿入方向は互いに直交し、一方のフレームに凹設された挿入用溝部はフレーム内側に向けて開口し、他方のフレームに凹設された挿入用溝部はフレームが開かれる方向に向けて開口している袋物用口金。
【請求項２】
一対の前記フレームのそれぞれの中央部には係合具が設けられていることを特徴とする請求項１に記載の袋物用口金。
【請求項３】
請求項１又は２に記載の袋物用口金の一方のフレームに凹設された挿入用溝部には蓋部の周端縁が、他方のフレームに凹設された挿入用溝部には箱型収納部の開口上端縁が、それぞれ挿入されて、袋物用口金が取付けられた蓋付収納部タイプの袋物。
【考案の詳細な説明】
【技術分野】
【０００１】
本考案は袋物の開口部に取付けられる口金及びそれを取り付けた袋物に関する。
【背景技術】
【０００２】
がま口、ポーチ、ハンドバッグ等の袋物の開口部には口金が取付けられ、収納物の出し入れに際して、ワンタッチで開閉できる構造となっている（例えば特許文献１）。通常用いられているこれらの袋物は、図５に示す袋物２０のように、口金２１を袋状収納部２８の開口部周縁に取付け、ワンタッチで開口部を開閉できる構造としている。この口金２１は一対のフレーム２２、２３の両端がリベットなどで構成される接合部２４により軸着され、開閉可能になっており、これらのフレームはフレームの中央部に設けられた係合具２５により閉止状態を維持するようになっている。そして、図５におけるＢ−Ｂ線での断面図である図６に示すように、一対のフレーム２２、２３は、それぞれ挿入用溝部２６、２７が凹設されて断面はＵ字状の形状となっており、袋状収納部２８の開口上端縁がこれらの挿入用溝部２６、２７に挿入され固定されることにより、口金２１は袋収納部２８の開口部に取り付けられている。
【０００３】
一方、袋物には図７に示される袋物のように収納部が箱型となっている蓋付収納部タイプがあり、このタイプの袋物では、箱型収納部３１の開口上端縁（側壁部３３の上端縁）と蓋部３２の周端縁をそれぞれフレーム２３とフレーム２２とに取付ける必要がある。この取付けに際しては、この蓋付収納部タイプでは、蓋部３２と側壁部３３の向かう方向が異なっているため、それぞれの周端縁と上端縁の各挿入用溝部２６、２７への挿入は、異なる方向で取り付けを行う必要があり、さらには側壁部３３の周端縁は矩形となっており、蓋部３２と連続している側壁部を除いた三辺を挿入溝２７に挿入する必要がある。そのため、図７に示すように、口金２１のフレーム２２と２３とを開くことにより、蓋部３２の周端縁は挿入用溝部２６に容易に挿入することができるが、側壁部３３の開口上端縁の三辺を溝部２７に挿入するには、図８に示すように上端縁を折り曲げて行う必要があり、作業が手間取るだけでなく、側壁部３３の各コーナーでは皺が生じたりすることが多く、綺麗に仕上げることが難しかった。
【先行技術文献】
【特許文献】
【０００４】
【特許文献１】特開２０００−１１２号公報
【考案の概要】
【考案が解決しようとする課題】
【０００５】
本考案の課題は、蓋付収納タイプの袋物においても、作業に手間取ることなく、収納部に容易に取り付けることができ、仕上げも綺麗にできる口金を提供することである。
【課題を解決するための手段】
【０００６】
本考案の袋物用口金は、両端において回転自在に軸着されて開閉可能に連結された一対のフレームから成り、該フレームのそれぞれに挿入用溝部が凹設され、フレームが閉じられた状態において、それぞれの挿入用溝部の挿入方向は互いに直交し、一方のフレームに凹設された挿入用溝部はフレーム内側に向けて開口し、他方のフレームに凹設された挿入用溝部はフレームが開かれる方向に向けて開口していることを特徴とする。さらに、一対の前記フレームには中央部に係合具が設けられていることが好ましい。
【０００７】
また、上記した袋物用口金の一方のフレームに凹設された挿入用溝部には蓋部の周端縁が、そして他方のフレームに凹設された挿入用溝部には箱型収納部の開口上端縁が、それぞれ挿入されて、口金が取付けられた蓋付収納部タイプの袋物も提供される。
【０００８】
袋物用口金は袋物の開口部の開閉を担うためフレームの形状は、フレームの両端の軸着部を起点として、門型の形状となっており、上記のフレーム内側とは門型形状のフレームで囲われている側のことである。
【考案の効果】
【０００９】
本考案の口金の一対のフレームに凹設される挿入用溝部はそれぞれの挿入方向が直交しており、一方がフレーム内側に向けて開口し、他方がフレームの開かれる方向に向けて開口しているため、蓋付収納部タイプの袋物の口金の取り付け作業が簡単になり、取り付け部分も綺麗に仕上げることができる。そして、この口金はその他のタイプの袋物の口金としても使用することができる。
【図面の簡単な説明】
【００１０】
【図１】本考案の袋物用口金の斜視図である。
【図２】図１におけるＡ−Ａ線断面図である。
【図３】本考案の口金を取り付けた蓋付収納部タイプの袋物の斜視外観図である。
【図４】同上袋物の蓋を開いた状態の斜視外観図である。
【図５】従来の袋物の外観斜視図である。
【図６】図５におけるＢ−Ｂ線断面斜視図である。
【図７】従来の口金を取り付けた蓋付収納部タイプの袋物の斜視外観図である。
【図８】図７におけるＣ−Ｃ線断面図である。
【考案を実施するための形態】
【００１１】
本考案の実施の態様について、以下、図を参照しながら詳しく述べる。
【００１２】
図１は本考案の袋物用口金の外観斜視図であり、口金１は一対のフレーム２、３から構成され、このフレーム２、３はその両端において、ピンやリベットなどからなる接合部４にて回転自在に軸着され、開閉可能となっている。各フレーム２、３の中央部にはそれぞれ係合具５が取り付けられており、ワンタッチで係合したり、係合を外したりすることができ、フレームをワンタッチで閉止したり、閉止を解除して開いたりすることができる。
【００１３】
そして、各フレーム２、３には、袋物の収納部に取り付けるための挿入用溝部６、７がそれぞれ凹設されており、図１のＡ−Ａ線断面図である図２に示すように断面がＵ字形の形状となっており、溝部の内側が挿入部であり、袋物の収納部を構成する袋素材の端部が溝部の開口部より挿入され、収納部に口金が固定される。そして、それぞれの溝部の挿入方向は、図１、２に示すように各フレーム２、３を閉じた状態で直交しており、フレーム２に凹設されている挿入用溝部６は門型のフレームにより囲まれた内側に向けて開口しており、フレーム３に凹設されている挿入用溝部７は、フレーム３の開かれる方向である下方に向けて開口している。
【００１４】
上記のように、各フレーム２、３に凹設される挿入用溝部６、７の挿入方向が直交し、それぞれの方向に向けて開口している口金１を、収納部が箱型の蓋付収納部タイプの袋物に取付けた袋物を図３、４に示す。図３は、箱型収納部１１に口金１を取付けた蓋付収納部タイプの袋物１０において、蓋部１２を閉じ、係合具５にて箱型収納部１１に係止した状態を示し、図４は、係合具５の係合を解いて蓋部１２を開き、箱型収納部１１を開いた状態を示している。
【００１５】
口金１においては、各フレーム２、３に凹設されたそれぞれの挿入用溝部６、７の挿入方向は、前記したように、フレームを閉じた状態では直交しており、図４に示した状態では、挿入用溝部６、７の挿入方向はいずれも下に向けて開口している。そのため、蓋部１２をフレーム２に、収納部１１をフレーム３に取付けるために、蓋部１２の周端縁を挿入用溝部６に挿入し、側壁１３の開口上端縁を挿入溝７に挿入する場合、いずれの溝部も挿入方向は一致し（図４では下から上に向かって挿入）、図８に示すような挿入は必要がなく、取付け作業を容易に行うことができる。
【００１６】
そして、側壁１３の平面形状とフレーム３の形状は一致するため、従来の口金を用いた場合に生ずる側壁１３のコーナーにおける皺の発生もなく、綺麗な収納部を作ることができる。
【００１７】
図に示した箱型収納部１１は、底部１４が矩形である直方体の箱型収納部を示したが、底部の形状には特に限定されず、底部の形状が多角形や円形、楕円形等であってもよい。この場合は、フレームの形状はそれに合致する形状とする。
【産業上の利用可能性】
【００１８】
本考案の口金は、収納部が箱型の蓋付収納タイプの袋物の好ましく用いられるものであるが、その他の通常の袋物にも使用することができる。
【符号の説明】
【００１９】
１    口金                        ２、３  フレーム
４    接合部                      ５    係合具
６、７  挿入用溝部                １０  袋物（蓋付収納部タイプ）
１１  箱型収納部                  １２  蓋部
１３  側壁部                      １４  底部
２０  袋物（従来品）              ２１  口金（従来品）
２２、２３フレーム（従来品）      ２４  接合部（従来品）
２５  結合具（従来品）            ２６、２７  挿入用溝部（従来品）
２８  収納部（従来品）            ３１  箱型収納部（従来品）
３２  蓋部（従来品）              ３３  側壁部（従来品）
【図１】
0003218819.tif 000003
【図２】
0003218819.tif 000004
【図３】
0003218819.tif 000005
【図４】
0003218819.tif 000006
【図５】
0003218819.tif 000007
【図６】
0003218819.tif 000008
【図７】
0003218819.tif 000009
【図８】
0003218819.tif 000010